(57)【要約】【課題】必要な時に人指し指、中指、薬指、および小指の４本の指、或いは前記4本の指と親指を露出させることができ、かつ、前記４本の指を露出させた際に、この四指を被覆していた四指被覆部を、手の掌及び甲を被覆する掌被覆部側に挟んでおくことができる手袋を提供することにある。【解決手段】四指被覆部１３と、この四指被覆部１３を着脱手段３を介して着脱できる本体被覆部１１（掌被覆部９、親指被覆部１０）からなり、本体被覆部１１から四指被覆部１３を外して指を外に出すことができ、この際に四指被覆部１３を掌被覆部９側にバンド部材６で挟んでおくことができる構成にしてある。【選択図】図３
0003161596.tif 000002
【実用新案登録請求の範囲】
【請求項１】
基端側に形成された基端開口部に連なり、手の掌及び甲を被覆する掌被覆部およびこの掌被覆部に連なり手の親指を被覆する親指被覆部からなる本体被覆部と、
この本体被覆部と分離形成され、一端側に形成された四指挿入開口部に連なり、手の人指し指、中指、薬指、及び小指の４本の指を一纏めに被覆する四指被覆部と、
この四指被覆部の四指挿入開口部を前記掌被覆部の先端開口部に着脱する着脱手段と、
前記四指被覆部または前記掌被覆部の外面に設けて、前記着脱手段を介して掌被覆部の先端開口部に連結した四指被覆部を外した際に、または四指被覆部を外した際に掌被覆部に着脱手段を介して四指被覆部の一部を連結させた状態で、この四指被覆部を掌被覆部に挟む伸縮自在なバンド部材と、
からなる手袋。
【請求項２】
請求項１に記載の手袋おいて、前記四指被覆部の先端縁部に先端開口部を形成すると共にこの先端開口部に開閉手段を設け、かつ、前記親指被覆部の側縁部に側縁開口部を形成すると共にこの側縁開口部に開閉手段を設け、さらに、前記四指被覆部の内部に前記四指挿入開口部から挿入された手の人指し指、中指、薬指、及び小指の４本の指を一纏めに収納する袋状の四指収納部を設けた手袋。
【考案の詳細な説明】
【技術分野】
【０００１】
本考案は各種の用途に使用できる手袋に関し、特にゴルフ、ハイキング、登山、バイクや自転車によるツーリング等のアウトドアースポーツを行う際に着用すると便利なものである。
【背景技術】
【０００２】
この種の手袋としては、種々の素材で形成した各種の手袋が開発され販売されている。特に冬場などの寒い日に着用する手袋としては、一般的に厚手の生地を使用したものがあり、また、指先の部分を効果的に温められるようにした手袋として、例えば特許文献１に開示のような手袋が開発され提案されている。
【０００３】
この手袋は、カイロ収容部を手袋本体の内部に備え、この手袋本体内に基端開口部から差し入れられた手の指先部分を、カイロ収容部内のカイロにより温められるようにしてあり、手袋本体の先端開口部を開閉手段で開閉させてカイロ収容部内にカイロを入れたり、カイロ収容部内からカイロを取り出せるようにした一体形成のミトンタイプのものである。
【先行技術文献】
【特許文献】
【０００４】
【特許文献１】特許第３９８８９５４号公報
【考案の概要】
【考案が解決しようとする課題】
【０００５】
ところが、前記特許文献１に開示の手袋では、指先の保温効果はあるが、例えばゴルフ場でプレー待ちの時やコースを移動中に携帯電話が鳴ったり、携帯電話を架ける用事を思いついた場合、この手袋をはめた状態では操作し難いので、その都度、手袋を外して携帯電話を操作する必要がある。また、この手袋では所望のものを直接指で触って感触を確かめたい場合にも、その都度手袋を外さなければならない。そのため、その都度手袋を外すことは煩わしいことであり、また外した手袋を落としたりして失くしてしまう懸念がある。さらに手袋を外している間は手が冷たくなり、その後のゴルフプレイ等に悪影響を及ぼす懸念がある。
【０００６】
本考案は、前記のような点に鑑みてなされたもので、その目的とするところは、手から手袋全体を外すことなく必要な時に人指し指、中指、薬指、および小指の４本の指だけを外に出すことができ、かつ、前記４本の指を露出させた際に四指被覆部を、手にはめた状態にある掌被覆部側に挟んでおくことができる手袋を提供することにある。
【０００７】
また、本考案は、前記４本の指とともに、親指も外に出せるようにし、親指を外に出した時に邪魔にならないように親指を被覆する親指被覆部を、前記四指被覆部とともに掌被覆部側に挟んでおくことができ、かつ四指被覆部内にカイロを収納すこともできる手袋を提供することにある。
【課題を解決するための手段】
【０００８】
前記課題を解決するために、本考案の第１の考案は、基端側に形成された基端開口部に連なり、手の掌及び甲を被覆する掌被覆部およびこの掌被覆部に連なり手の親指を被覆する親指被覆部からなる本体被覆部と、この本体被覆部と分離形成され、一端側に形成された四指挿入開口部に連なり、手の人指し指、中指、薬指、及び小指の４本の指を一纏めに被覆する四指被覆部と、この四指被覆部の四指挿入開口部を前記掌被覆部の先端開口部に着脱する着脱手段と、前記四指被覆部または前記掌被覆部の外面に設けて、前記着脱手段を介して掌被覆部の先端開口部に連結した四指被覆部を外した際に、または四指被覆部を外した際に掌被覆部に着脱手段を介して四指被覆部の一部を連結させた状態で、この四指被覆部を掌被覆部に挟む伸縮自在なバンド部材と、からなる手袋である。
【０００９】
本考案の第２の考案は、前記第１の考案において、前記四指被覆部の先端縁部に先端開口部を形成すると共にこの先端開口部に開閉手段を設け、かつ、前記親指被覆部の側縁部に側縁開口部を形成すると共にこの側縁開口部に開閉手段を設け、さらに、前記四指被覆部の内部に前記四指挿入開口部から挿入された手の人指し指、中指、薬指、及び小指の４本の指を一纏めに収納する袋状の四指収納部を設けた手袋である。
【考案の効果】
【００１０】
本考案の第１の手袋では、着脱手段を介して四指被覆部を掌被覆部から外したり一部を連結させた状態にして、人指し指、中指、薬指、及び小指の４本の指を外に出すことができ、所望のものを直接指で触ったり、携帯電話等を容易に操作したりすることができる。また、この際にバンド部材で四指被覆部を掌被覆部側に挟んでおくことができるので、前記指を外に出したときに四指被覆部が邪魔になったりすることもなく、また手から落として失くしてしまうといった心配もない。さらに、手袋全体を外すことなく前記指以外の手の部分を掌被覆部および親指被覆部で被覆しながら前記指を外に出すことができるため、前記指を外に出している間も手全体を冷やしてしまうといったことがない。
【００１１】
本考案の第２の手袋では、前記本考案の第１の手袋の効果と相まって、親指被覆部の側縁開口部を開閉手段で開放して親指を外に出すことができるので、人指し指、中指、薬指、及び小指とともに親指の五指で携帯電話等を操作することができるため操作がし易くなる。また、前記したように親指被覆部の側縁開口部を開放した時に、親指を外に出した後の親指被覆部を四指被覆部とともにバンド部材で掌被覆部側に挟んでおくことができるので、携帯電話等の操作中に親指被覆部が邪魔になることもない。また、開閉手段を操作して四指被覆部の先端開口部を開けて四指被覆部内にカイロを入れることができるため指先を良好に温められる。  
【図面の簡単な説明】
【００１２】
【図１】本考案の最良の実施形態に係る手袋の斜視図である。
【図２】本考案の最良の実施形態に係る手袋であって、四指被覆部と本体被覆部とを分離した状態の斜視図である。
【図３】四指を露出させた際に伸縮自在なバンド部材で四指被覆部を本体被覆部側に挟んだ状態を示す斜視図である。
【図４】本考案の実施例の手袋を示し、（ａ）は掌側から見た斜視図、（ｂ）は甲側から見た斜視図である。
【図５】本考案の実施例の手袋を本体被覆部と四指被覆部とに分離した状態を示し、（ａ）は掌側から見た斜視図、（ｂ）は甲側から見た斜視図である。
【図６】本考案の実施例に係る手袋の断面図である。
【図７】五指を露出させた状態を示す斜視図である。
【図８】五指を露出させた際にバンド部材で四指被覆部および親指被覆部を掌被覆部側に挟んだ状態を示す斜視図である。
【考案を実施するための形態】
【００１３】
以下、添付の図面と共に、本考案の最良の実施形態について説明する。
なお、本考案の手袋は、同一の構成からなる１対の左右対称のものであり、便宜上、右手の手袋を図示して構成を説明する。
【００１４】
図１〜図３は、本考案の手袋１を示している。
この手袋１は、ミトンタイプの手袋であって手袋本体２に、着脱手段３と伸縮自在なバンド部材６を設けた構成からなる。
【００１５】
手袋本体２は、本体被覆部１１と、四指被覆部１３とに分離形成された構成からなるものであり（図２参照）、着脱手段３を介して、本体被覆部１１に四指被覆部１３を連結したり、または、本体被覆部１１に四指被覆部１３の一部を連結したりできるようにしてある。
【００１６】
前記本体被覆部１１は、基端開口部８から先端開口部１４に連なり手の掌及び甲を被覆する掌被覆部９と、この掌被覆部９に連なり手の親指を被覆する親指被覆部１０とからなる。
【００１７】
この本体被覆部１１は、先端開口部１４側を前記四指被覆部１３の四指挿入開口部１６に挿入し着脱手段３であるボタンまたは面ファスナーを介して、先端開口部１４側と四指被覆部１３の四指挿入開口部１６側とを連結することができる。
【００１８】
前記着脱手段３であるボタン３ａまたは面ファスナー３ｂは、本体被覆部１１の先端開口部１４近傍、並びに四指被覆部１３の四指挿入開口部１６近傍に、それぞれ対峙するように設けてある。なお、図示の手袋１の場合、ボタン３ａは四指被覆部１３の手の掌側の四指挿入開口部１６近傍と、掌被覆部９の手の掌側の先端開口部１４近傍に、それぞれ対峙するように設けてあり、面ファスナー３ｂは四指被覆部１３の手の甲側の内面の四指挿入開口部１６近傍と、掌被覆部９の手の甲側の外面の先端開口部１４近傍に、それぞれ対峙するように設けてある。
【００１９】
前記本体被覆部１１は、着脱手段３を介して連結した四指被覆部１３を分離したり、一部を連結した状態にしたりすることにより、先端開口部１４を開放することができ、この先端開口部１４から人指し指、中指、薬指、及び小指の４本の指を外に出すことができる（図３参照）。
【００２０】
前記四指被覆部１３（図１、図２参照）には、手の甲側に相当する外面２０にバンド部材６が設けてある。すなわち、四指被覆部１３の手の甲側に相当する外面２０の中間箇所に、横長に適宜幅の伸縮自在なバンド部材６である例えばゴムバンド６ｂを配し、その両端部６ａを四指被覆部１３に縫い付けて固定してある。このゴムバンド６ｂは、前記掌被覆部９の先端開口部１４から前記４本の指の先端部を露出させた際に、前記着脱手段３を介して掌被覆部９に一部を連結させた状態の四指被覆部１３を、または掌被覆部９と分離させた状態の四指被覆部１３を、邪魔になったり失くしたりしないように掌被覆部９側に挟んでおくことができる（図３参照）。なお、バンド部材６は掌被覆部９に設けるように設計変更するも自由である。
【００２１】
前記本考案の手袋１では、例えば着用時に携帯電話の呼び出し音が鳴ったり、携帯電話を駆ける必要が生じた時に、素早く手袋本体２の四指被覆部１３を掌被覆部９から外して、掌被覆部９から人指し指、中指、薬指、及び小指の４本の指を外に出し、携帯電話の操作ボタンに直接触れて操作することができる。そのため、確実に操作ボタンを押して受信したり電話を架けたりすることができる。また、この手袋１を着用しているときに、所望のものを直接指で触りたい場合にも、前記のように掌被覆部９から指を出すことにより容易に所望のものに触れることができる。
【００２２】
この手袋１では、前記指を掌被覆部９から外に出した時に、掌被覆部９から外した四指被覆部１３をゴムバンド６ｂで掌被覆部９側に挟んでおくことができるため、携帯電話の使用中に四指被覆部１３が邪魔になったり、携帯電話をしながら歩いて移動した時に四指被覆部１３を紛失してしまうといったこともない。
【００２３】
また、携帯電話等の操作や所望のものを直接指で触りたい場合に、手から手袋全体を外して手全体を露出させることがなく、前記指以外の手の部分を掌被覆部９および親指被覆部１０で被覆した状態で前記指を外に出すことができるため、前記操作中などに手全体を冷やしてしまうといったことがない。
【００２４】
前記手袋１において、四指被覆部１３内にカイロを収納して使用すれば、指先を温めることができ、寒い日でも指先をより温かい状態で維持することができる。なお、前記手袋１において、親指被覆部１０に下記の実施例のように開口部と開閉手段を設けた構成にするも自由である。
【実施例】
【００２５】
図４〜図８は、本考案の実施例の手袋１を示している。
この手袋１は、ミトンタイプの手袋であって手袋本体２に、着脱手段３、開閉手段４，５、および伸縮自在なバンド部材６を設けた構成からなり、さらに１個又は複数個の使い捨てカイロ等の保温具を収容する空間７ａからなるカイロ収容部７を内部に有している（図４〜図６参照）。
【００２６】
手袋本体２は、本体被覆部１１と四指被覆部１３とに分離形成されたものである（図５参照）。この本体被覆部１１と四指被覆部１３とは、着脱手段３を介して、分離したり、連結したり、或いは一部を連結した状態にすることができる。
【００２７】
本体被覆部１１は、基端開口部８に連なって手の掌及び甲を被覆する掌被覆部９と、この掌被覆部９に連なり手の親指を被覆する親指被覆部１０とからなる。
【００２８】
前記本体被覆部１１（図５参照）は、先端開口部１４を有し、この先端開口部１４側を前記四指被覆部１３内に四指挿入開口部１６側から挿入できる。本体被覆部１１の先端開口部１４の近傍並びに四指被覆部１３の四指挿入開口部１６の近傍には、それぞれ対峙する位置に前記着脱手段３であるボタン３ａまたは面ファスナー３ｂ（マジックテープ（登録商標））を設けてあり、この着脱手段３を介して四指被覆部１３を本体被覆部１１に連結できるようにしてある。
【００２９】
本体被覆部１１は、着脱手段３を介して連結した四指被覆部１３を分離したり、四指被覆部１３の一部を連結した状態にすることにより先端開口部１４を開放することができ、この先端開口部１４から人指し指、中指、薬指、及び小指の４本の指を外に出すことができる（図７参照）。
【００３０】
また、本体被覆部１１の親指被覆部１０には、本体被覆部１１の手の掌を覆う面側の側縁部１９に沿って所定長さの側縁開口部１５が形成され、この側縁開口部１５に沿って開閉手段５としてのスライドファスナー５ａがスライダー５ｂを親指被覆部１０の先端方向に移動させることによつて側縁開口部１５を開放し、スライダー５ｂを親指被覆部１０の基端方向に移動させることによつて側縁開口部１５を閉じることができるように設けてある。必要に応じてこのスライドファスナー５ａのスライダー５ｂを前記先端方向に移動させて側縁開口部１５を開放することにより、親指を側縁開口部１５から外に出すことができる。なお、前記開閉手段５としてのスライドファスナー５ａとしては、樹脂ファスナー、金属ファスナーまたはビスロンファスナーを使用している。
【００３１】
前記四指被覆部１３（図５参照）は、四指挿入開口部１６に連なりこの四指挿入開口部１６から挿入される手の人指し指、中指、薬指、及び小指の４本の指を一纏めに収納する袋状の四指収納部１２を内部に有すると共に、この四指収納部１２の両外面側にカイロ収容部７を形成する空間７ａを有し（図６参照）、この空間７ａを介して前記四指収納部１２を被覆する。
【００３２】
さらに四指被覆部１３（図４〜図６参照）には、先端縁部１８に沿って所定長さの先端開口部１７が形成され、この先端開口部１７に沿って開閉手段４としてのスライドファスナー４ａが開閉自在に設けてある。このスライドファスナー４ａのスライダー４ｂを移動させて先端開口部１７を開放することにより、この先端開口部１７を通じて空間７ａであるカイロ収容部２にカイロＡを容易に出し入れすることができる。なお、前記開閉手段４としてのスライドファスナー４ａも、前記開閉手段５と同様のファスナーを使用している。
【００３３】
このように手袋本体２の四指収納部１２内に基端開口部８から差し入れた手の指先部分は、カイロ収容部７内のカイロＡにより温めることができ、保温性に優れた素材によって形成されている手袋本体２とカイロＡとによって保温効果を十分に発揮することができる。したがって、手袋本体２の四指被覆部１３のカイロ収容部２にカイロＡを入れて着用することにより指先を良好に温めることができ、例えば冬場などの寒い日のゴルフ場でのプレー待ちの時や移動中の時にも指先の感覚を良好な状態に保つことができる。前記手袋本体２（本体被覆部１１と四指被覆部１３）は、手の掌側には図示の例では防水素材を用い、甲側にはフリース素材を用いて形成されている。
【００３４】
なお、この実施例の手袋１の場合は、四指収納部１２の両側の２箇所のカイロ収容部２にカイロＡを収納することができるが、所望により片側の１箇所のカイロ収容部２にカイロＡを収納してもよい。また、四指収納部１２の片側を四指被覆部１３の内面に縫いつけて空間７ａであるカイロ収容部２を四指被覆部１３の片側の１箇所に設けた構成に設計変更するも自由である。
【００３５】
前記四指被覆部１３（図４ｂ，図５ｂ参照）には、外面２０に適宜幅の伸縮自在なバンド部材６が設けてある。すなわち、四指被覆部１３の手の甲側に対応する外面２０の中間箇所に横長に適宜幅の伸縮自在なバンド部材６であるゴムバンド６ｂを配し、その両端部６ａを前記スライドファスナー４ａの近傍に縫い付けて固定してある。このゴムバンド６ｂは、前記掌被覆部９の先端開口部１４から前記４本の指の先端部を露出させた際に、前記着脱手段３を介して掌被覆部９に一部を連結または掌被覆部９と分離させた状態の四指被覆部１３を掌被覆部９に、邪魔になったり失くしたりしないように挟んでおくことができる（図７参照）。
【００３６】
また、この手袋１の着用時に携帯電話の呼び出し音が鳴ったり、携帯電話を駆ける必要が生じた時にも、着脱手段３を介して手袋本体２の四指被覆部１３を掌被覆部９から外したり一部を連結させた状態にして、人指し指、中指、薬指、及び小指の４本の指を外に出し、かつ、親指被覆部１０のスライダー５ｂを操作して側縁開口部１５を開放して親指を外に出すことにより（図７参照）、5本の指で携帯電話の操作ボタンを操作することができ、受信したり電話を駆けたりすることがより確実に素早く行える。
【００３７】
さらに、前記したように手の人指し指、中指、薬指、及び小指、並びに親指を外に出した場合には（図８参照）、邪魔になる四指被覆部１３や親指被覆部１０をゴムバンド６ｂで掌被覆部９側に挟んでおくことにより、四指被覆部１３が邪魔になったり紛失したりすることもなく、併せて、親指で携帯電話を操作中に親指被覆部１０が邪魔になって親指の動きに支障をきたすといったこともない。
【符号の説明】
【００３８】
１    手袋
２    手袋本体
３    着脱手段
４    開閉手段
５    開閉手段
６    バンド部材
８    基端開口部
９    掌被覆部
１０  親指被覆部
１１  本体被覆部
１２  四指収納部
１３  四指被覆部
１６  四指挿入開口部
１７  先端開口部
１８  先端縁部
１９  側縁部
２０  四指被覆部の外面
【図１】
0003161596.tif 000003
【図２】
0003161596.tif 000004
【図３】
0003161596.tif 000005
【図４】
0003161596.tif 000006
【図５】
0003161596.tif 000007
【図６】
0003161596.tif 000008
【図７】
0003161596.tif 000009
【図８】
0003161596.tif 000010